(57)【要約】【課題】表示装置の特性等に応じて適切な操作画面を表示することができる表示制御装置を提供する。【解決手段】画像形成装置は、操作画面を表示する表示装置の特性がジェスチャー操作を受け付け可能であるか否かを判断する。そして、画像形成装置は、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するメモリーから、表示装置がジェスチャー操作を受け付け可能である場合には第１の操作画面の画面情報を読み出し（Ａ）、表示装置がジェスチャー操作を受け付け不可である場合には第２の操作画面の画面情報を読み出して（Ｂ）、表示する操作画面を切り替える。【選択図】図４
2015159465.tif 000002
【特許請求の範囲】
【請求項１】
画像形成装置の操作画面を表示装置に表示させる制御を行なう表示制御装置であって、
前記表示装置の特性がジェスチャー操作を受け付け可能であるか否かを判断するための第１の判断手段と、
前記表示装置の特性に応じて前記表示装置に表示する操作画面を切り替えるための切替手段とを備え、
前記切替手段は、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するメモリーから、前記表示装置がジェスチャー操作を受け付け可能である場合には前記第１の操作画面の画面情報を読み出し、前記表示装置がジェスチャー操作を受け付け不可である場合には前記第２の操作画面の画面情報を読み出して前記表示装置に対して出力することで、前記表示装置に表示する操作画面を切り替える、表示制御装置。
【請求項２】
前記第１の判断手段は、さらに、前記表示装置の特性が同時に２点以上のタッチを含むジェスチャー操作を受け付け可能であるか否かを判断し、
前記切替手段は、
前記第１の操作画面が２点以上のタッチを含むジェスチャー操作を受け付け可能な操作画面の場合には、前記表示装置が２点以上のタッチを含むジェスチャー操作を受け付け可能である場合には前記第１の操作画面の画面情報を読み出して前記表示装置に表示し、前記表示装置が２点以上のタッチを含むジェスチャー操作を受け付け不可である場合には前記第２の操作画面の画面情報を読み出して前記表示装置に表示し、
前記第１の操作画面が２点以上のタッチを含むジェスチャー操作を受け付け不可であって１点のタッチによるジェスチャー操作を受け付け可能な操作画面の場合には、前記表示装置が２点以上のタッチを含むジェスチャー操作を受け付け不可であって１点のタッチによるジェスチャー操作を受け付け可能である場合には前記第１の操作画面の画面情報を読み出して前記表示装置に表示し、前記表示装置がジェスチャー操作を受け付け不可である場合には前記第２の操作画面の画面情報を読み出して前記表示装置に表示する、請求項１に記載の表示制御装置。
【請求項３】
前記表示装置に対する操作の特性を判断するための第２の判断手段をさらに備え、
前記切替手段は、前記第２の操作画面が前記表示装置に表示されているときに前記第２の操作画面に対してジェスチャー操作が行なわれると、前記第２の操作画面を前記第１の操作画面に切り替える、請求項１または２に記載の表示制御装置。
【請求項４】
前記切替手段は、前記第１の操作画面が前記表示装置に表示されているときに前記第１の操作画面に対して所定の操作がなされると、前記第１の操作画面を前記第２の操作画面に切り替える、請求項３に記載の表示制御装置。
【請求項５】
前記表示装置は、前記画像形成装置と通信可能な端末装置に搭載された表示装置である、請求項１〜４のいずれかに記載の表示制御装置。
【請求項６】
前記第２の操作画面は、前記第１の操作画面に重ねて表示する、ジェスチャー操作に替わる操作による指示を受け付けるための操作用画像を含む画面であって、
前記切替手段は、前記表示装置の特性に応じて、前記表示装置がジェスチャー操作を受け付け可能である場合には前記第２の操作画面を非表示とし、前記表示装置がジェスチャー操作を受け付け不可である場合には前記第１の操作画面に前記第２の操作画面を重ねて表示することによって操作画面を切り替える、請求項１〜５のいずれかに記載の表示制御装置。
【請求項７】
表示装置を有する画像形成装置であって、請求項１〜６のいずれかに記載の表示制御装置を搭載した、画像形成装置。
【請求項８】
画像形成装置の操作画面を表示装置に表示する方法であって、
前記表示装置の特性がジェスチャー操作を受け付け可能であるか否かを判断するステップと、
前記表示装置の特性に応じて前記表示装置に表示する操作画面を切り替えるステップとを備え、
前記切り替えるステップでは、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するメモリーから、前記表示装置がジェスチャー操作を受け付け可能である場合には前記第１の操作画面の画面情報を読み出し、前記表示装置がジェスチャー操作を受け付け不可である場合には前記第２の操作画面の画面情報を読み出して前記表示装置に対して出力することで、前記表示装置に表示する操作画面を切り替える、表示方法。
【請求項９】
画像形成装置の操作画面を表示装置に表示する処理をコンピューターに実行させるプログラムであって、
前記表示装置の特性がジェスチャー操作を受け付け可能であるか否かを判断するステップと、
前記表示装置の特性に応じて前記表示装置に表示する操作画面を切り替えるステップとを前記コンピューターに実行させ、
前記切り替えるステップでは、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するメモリーから、前記表示装置がジェスチャー操作を受け付け可能である場合には前記第１の操作画面の画面情報を読み出し、前記表示装置がジェスチャー操作を受け付け不可である場合には前記第２の操作画面の画面情報を読み出して前記表示装置に対して出力することで、前記表示装置に表示する操作画面を切り替える、表示プログラム。
【発明の詳細な説明】
【技術分野】
【０００１】
この発明は表示制御装置、画像形成装置、表示方法、および表示プログラムに関し、特に、操作画面を表示する表示制御装置、画像形成装置、表示方法、および表示プログラムに関する。
【背景技術】
【０００２】
タッチパネルの高機能化に伴い、ＭＦＰ（Multi-Functional  Peripheral）などの画像形成装置に搭載されたタッチパネルで、操作画面に対するジェスチャー操作を受け付け可能なものが出てきている。たとえば、プレビュー画像に対する拡大を指示するピンチアウトジェスチャー、縮小を指示するピンチインジェスチャーなどのジェスチャー操作を受け付け可能な画像形成装置が提案されている。
【０００３】
画像形成装置がジェスチャー操作受け付け可能なタッチパネルを搭載している場合には、操作画面に拡大、縮小などの操作ボタンを多く表示する必要がない。
【先行技術文献】
【特許文献】
【０００４】
【特許文献１】特開２０１３−１２５２４２号公報
【特許文献２】特開２００７−１６６２５９号公報
【特許文献３】特開２００７−０４３５１５号公報
【発明の概要】
【発明が解決しようとする課題】
【０００５】
しかしながら、コストの観点などから、画像形成装置に抵抗皮膜パネルなどのタッチ位置の移動の検出や２点以上のタッチの検出が困難なタッチパネルが搭載されている場合もある。あるいはタッチパネル自体が画像形成装置に搭載されていない場合もある。この場合、上記のような操作ボタンが含まれない操作画面が表示されても、拡大や縮小の指示をジェスチャー操作で行なうことができないため、１点のタッチまたはハードキーで操作可能な操作ボタンを操作画面に表示する必要がある。
【０００６】
画像形成装置の表示装置はメンテナンス時に取り換え可能であるため、ジェスチャー操作を受け付け可能なタッチパネルとそうでないパネルとが取り換えられた場合に、表示される操作画面が適切でなくなる場合がある。
【０００７】
また、昨今では、表示装置を備えた端末装置に対して画像形成装置の操作画面の情報を送信し、当該端末装置から当該操作画面に対する操作位置の情報が画像形成装置に転送されて操作画面が遷移する、いわゆるリモートパネルという使い方もなされる。これは、画像形成装置の表示装置が自身の表示装置に限定されず、アクセス可能な他の装置に搭載された表示装置を含む概念であると言える。この場合、端末装置の表示装置によってジェスチャー操作が可能か不可能かが異なるため、操作画面が適切でなくなる場合がある。
【０００８】
本発明はこのような問題に鑑みてなされたものであって、適切な操作画面を表示することのできる表示制御装置、画像形成装置、表示方法、および表示プログラムを提供することを目的としている。
【課題を解決するための手段】
【０００９】
上記目的を達成するために、本発明のある局面に従うと、表示制御装置は画像形成装置の操作画面を表示装置に表示させる制御を行なう表示制御装置であって、表示装置の特性がジェスチャー操作を受け付け可能であるか否かを判断するための第１の判断手段と、表示装置の特性に応じて前記表示装置に表示する操作画面を切り替えるための切替手段とを備える。切替手段は、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するメモリーから、表示装置がジェスチャー操作を受け付け可能である場合には第１の操作画面の画面情報を読み出し、表示装置がジェスチャー操作を受け付け不可である場合には第２の操作画面の画面情報を読み出して表示装置に対して出力することで、表示装置に表示する操作画面を切り替える。
【００１０】
好ましくは、第１の判断手段は、さらに、表示装置の特性が同時に２点以上のタッチを含むジェスチャー操作を受け付け可能であるか否かを判断する。切替手段は、第１の操作画面が２点以上のタッチを含むジェスチャー操作を受け付け可能な操作画面の場合には、表示装置が２点以上のタッチを含むジェスチャー操作を受け付け可能である場合には第１の操作画面の画面情報を読み出して表示装置に表示し、表示装置が２点以上のタッチを含むジェスチャー操作を受け付け不可である場合には第２の操作画面の画面情報を読み出して表示装置に表示する。切替手段は、第１の操作画面が２点以上のタッチを含むジェスチャー操作を受け付け不可であって１点のタッチによるジェスチャー操作を受け付け可能な操作画面の場合には、表示装置が２点以上のタッチを含むジェスチャー操作を受け付け不可であって１点のタッチによるジェスチャー操作を受け付け可能である場合には第１の操作画面の画面情報を読み出して表示装置に表示し、表示装置がジェスチャー操作を受け付け不可である場合には第２の操作画面の画面情報を読み出して表示装置に表示する。
【００１１】
好ましくは、表示制御装置は表示装置に対する操作の特性を判断するための第２の判断手段をさらに備える。切替手段は、第２の操作画面が表示装置に表示されているときに第２の操作画面に対してジェスチャー操作が行なわれると、第２の操作画面を第１の操作画面に切り替える。
【００１２】
より好ましくは、切替手段は、第１の操作画面が表示装置に表示されているときに第１の操作画面に対して所定の操作がなされると、第１の操作画面を第２の操作画面に切り替える。
【００１３】
好ましくは、表示装置は、画像形成装置と通信可能な端末装置に搭載された表示装置である。
【００１４】
好ましくは、第２の操作画面は、第１の操作画面に重ねて表示する、ジェスチャー操作に替わる操作による指示を受け付けるための操作用画像を含む画面である。切替手段は、表示装置の特性に応じて、表示装置がジェスチャー操作を受け付け可能である場合には第２の操作画面を非表示とし、表示装置がジェスチャー操作を受け付け不可である場合には第１の操作画面に第２の操作画面を重ねて表示することによって操作画面を切り替える。
【００１５】
本発明の他の局面に従うと、画像形成装置は表示装置を有して、上記の表示制御装置を搭載する。
【００１６】
本発明のさらに他の局面に従うと、表示方法は画像形成装置の操作画面を表示装置に表示する方法であって、表示装置の特性がジェスチャー操作を受け付け可能であるか否かを判断するステップと、表示装置の特性に応じて表示装置に表示する操作画面を切り替えるステップとを備える。切り替えるステップでは、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するメモリーから、表示装置がジェスチャー操作を受け付け可能である場合には第１の操作画面の画面情報を読み出し、表示装置がジェスチャー操作を受け付け不可である場合には第２の操作画面の画面情報を読み出して表示装置に対して出力することで、表示装置に表示する操作画面を切り替える。
【００１７】
本発明のさらに他の局面に従うと、表示プログラムは画像形成装置の操作画面を表示装置に表示する処理をコンピューターに実行させるプログラムであって、表示装置の特性がジェスチャー操作を受け付け可能であるか否かを判断するステップと、表示装置の特性に応じて表示装置に表示する操作画面を切り替えるステップとをコンピューターに実行させる。切り替えるステップでは、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するメモリーから、表示装置がジェスチャー操作を受け付け可能である場合には第１の操作画面の画面情報を読み出し、表示装置がジェスチャー操作を受け付け不可である場合には第２の操作画面の画面情報を読み出して表示装置に対して出力することで、表示装置に表示する操作画面を切り替える。
【発明の効果】
【００１８】
この発明によると、表示装置の特性等に応じて適切な操作画面を表示することができる。
【図面の簡単な説明】
【００１９】
【図１】実施の形態にかかる画像形成システムの構成の具体例を示す図である。
【図２】画像形成システムに含まれる画像形成装置の概略のハードウェア構成を示す模式図である。
【図３】画像形成装置と通信可能な端末装置の概略のハードウェア構成を示す模式図である。
【図４】画像形成装置の操作パネル１７に表示される操作画面の具体例を示す図である。
【図５】画像形成装置の操作パネル１７に表示される操作画面の具体例を示す図である。
【図６】画像形成装置の機能構成の具体例を示すブロック図である。
【図７】画像形成装置での操作画面の表示制御の流れの具体例を表わしたフローチャートである。
【図８】画像形成装置での操作画面の表示制御の流れの他の具体例を表わしたフローチャートである。
【発明を実施するための形態】
【００２０】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２１】
なお、以下の例では、画像形成装置に搭載されるタッチパネルでの表示、あるいは、画像形成装置と通信可能な端末装置に搭載されるタッチパネルでの表示を制御するための表示制御装置が画像形成装置に含まれるものとしているが、表示制御装置は画像形成装置に接続された別体の装置であり、該画像形成装置のタッチパネルでの表示を制御するものであってもよい。すなわち、タッチパネルとその表示を制御するための表示制御装置とは異なる装置に含まれて、相互に通信することで該タッチパネルでの表示が制御されてもよい。
【００２２】
＜システム構成＞
図１は、本実施の形態にかかる画像形成システムの構成の具体例を示す図である。図１を参照して、画像形成システムは、それぞれ表示制御装置を搭載した、複数の画像形成装置１−１Ａ，…１−１Ｎと複数の情報処理装置３−１Ａ，…３−１Ｍとがネットワーク４−１で接続された第１のシステムと、複数の画像形成装置１−２Ａ，…１−２Ｎと複数の情報処理装置３−２Ａ，…３−２Ｍとがネットワーク４−２で接続された第２のシステムとが、外部ネットワーク５を介して接続してなる。
【００２３】
画像形成装置１−１Ａ，…１−１Ｎ、１−２Ａ，…１−２Ｎを代表させて画像形成装置１、情報処理装置３−１Ａ，…３−１Ｍ、３−２Ａ，…３−２Ｍを代表させて情報処理装置３と称する。
【００２４】
ネットワーク４は、ＬＡＮ（Local  Area  Network）などの専用回線を用いたネットワーク、インターネット等の一般回線を用いたネットワーク、無線通信によるネットワーク等のいずれであっても構わない。また、外部ネットワーク５も、ＬＡＮなどの専用回線を用いたネットワーク、インターネット等の一般回線を用いたネットワーク、無線通信によるネットワーク等のいずれであっても構わない。さらに、本画像システムは、外部ネットワーク５を介して他のシステムと接続されていてもよい。
【００２５】
本実施の形態において、画像形成装置１は、スキャナー、コピー、およびプリンター機能を備えるデジタル複合槻としての機能を有するいわゆるＭＦＰ（Multi  Function  Peripherals）であるものとする。しかしながら、画像形成装置１は、操作部および表示部としてのタッチパネルを有する装置であればＭＦＰに限定されず、スキャナー、コピーなどの他の装置であってもよい。
【００２６】
画像形成装置１は、スキャンして得られた原稿画像および情報処理装置３から送信されたプリントデータから生成した画像の複写画像を用紙上に形成する装置である。ここで、プリントデータとは、情報処理装置３のオペレーティングシステムやアプリケーションプログラムが発行する描画命令を、プリンタードライバーによって画像形成装置１が処理可能なページ記述言語に変換したページ記述言語による描画命令、またはＰＤＦ（Portable  Document  Format）、ＴＩＦＦ（Tagged  Image  File  Format）、ＪＰＥＧ（Joint  Photographic  Experts  Group）、ＸＰＳ（XML  Paper  Specification）等のファイルフォーマットで記述された文書データである。
【００２７】
また、スキャンして得られた原稿画像は、画像形成装置において各種設定（ファイル形式、レイアウト設定、解像度設定等）がなされ、ネットワーク４を介して、情報処理装置３等に送信されてもよい。
【００２８】
情報処理装置３は、一般的なパーソナルコンピューター等であってよい。情報処理装置３は、ユーザーの指示によりプリントデータを生成し、生成したプリントデータを画像形成装置１に送信する。
【００２９】
画像形成装置１は、無線通信を利用して端末装置７と通信可能であってもよい。無線通信は、たとえばＢｌｕｅｔｏｏｔｈ（登録商標）やＩｒＤＡ（登録商標）などが挙げられる。
【００３０】
＜装置構成＞
図２は、画像形成装置１の概略のハードウェア構成を示す模式図である。図２を参照して、画像形成装置１は制御部１０を含む。制御部１０は、装置全体を制御するためのＣＰＵ（Central  Processing  Unit）１０ａ、制御プログラムを格納するためのメモリーであるＲＯＭ（Read  Only  Memory）１１、作業用の記憶領域となるメモリーであるＳ−ＲＡＭ（Static  Random  Access  Memory）１２、画像形成に関わる各種の設定を記憶するためのバッテリバックアップされたＮＶ−ＲＡＭ（不揮発性メモリー）１３、および時計ＩＣ（Integrated  Circuit：集積回路）１４を含む。
【００３１】
制御部１０には、バスを介して、画像読取装置１６、各種の入力を行なうためのキーや表示部を備えた、タッチパネルである表示部と数字キー、プリントキー、ログアウトキーなどのキースイッチ群とを有する表示装置の一例としての操作パネル１７、ネットワーク４−１，４−２，５を介して接続された情報処理装置３等の外部の装置との間で各種の情報を送受信するためのネットワークＩ／Ｆ（インターフェース）２０、該ネットワークＩ／Ｆ２０により受信したプリントデータから複写画像を生成するためのプリンターコントローラー１９、複写画像を用紙上に形成するための画像出力装置１８、ネットワーク４−１，４−２と通信するためのワイヤレスＩ／Ｆ２１、および、端末装置７と通信するための短距離無線Ｉ／Ｆ２２が接続されている。
【００３２】
また、制御部１０には、固定記憶装置１５がバスを介して接続されている。固定記憶装置１５にはたとえばハードディスク装置などが該当する。
【００３３】
図３は、端末装置７の概略のハードウェア構成を示す模式図である。図３を参照して、端末装置７は制御部７０を含む。制御部７０は、装置全体を制御するためのＣＰＵ７０ａ、制御プログラムを格納するためのメモリーであるＲＯＭ７１、作業用の記憶領域となるメモリーであるＲＡＭ７２を含む。
【００３４】
制御部７０には、バスを介して、ハードディスク装置などの各種データを記憶するための固定記憶装置７４、タッチパネル７５、ワイヤレスＩ／Ｆ７６、および、短距離無線Ｉ／Ｆ７７が接続されている。
【００３５】
＜動作概要＞
図４（Ａ），（Ｂ）および図５（Ａ），（Ｂ）は、画像形成装置１での画面表示を説明するための図である。一例として、図４（Ａ）および図４（Ｂ）は、プレビュー画面を表わしている。プレビュー画面では、ユーザーは、表示サイズの変更（拡大、縮小）や表示の回転などを指示することができる。また、図５（Ａ）および図５（Ｂ）は、ウィジット配置位置設定画面を表わしている。ウィジット配置位置設定画面では、ユーザーは、ウィジットを配置する位置を指示することができる。
【００３６】
画像形成装置１の操作パネル１７が、たとえば静電式パネルであるような、ジェスチャー操作の受け付けが可能なパネルである場合、画像形成装置１は、第１の操作画面である図４（Ａ）のプレビュー画面を表示する。すなわち、操作パネル１７がジェスチャー操作の受け付けが可能なパネルである場合、画像形成装置１の操作パネル１７には、ジェスチャー操作で表示サイズの変更（拡大、縮小）や表示の回転などの指示を受け付けることが可能なプレビュー画面が表示される。この画面には、後述するメニューエリアが含まれない（閉じた状態とされる）。このため、プレビュー画像を表示する面積を大きくすることができる。なお、所定操作（たとえばタブへのタッチ）を受け付けることで、画像形成装置１は、操作パネル１７がジェスチャー操作が可能なパネルであっても、プレビュー画面にメニューエリアを表示するようにしてもよい。第１の操作画面は、たとえばピンチ操作やローテーション操作などのジェスチャー操作によって、表示サイズの変更（拡大、縮小）や表示の回転などの指示を受け付けることができる。
【００３７】
画像形成装置１の操作パネル１７が、たとえば抵抗膜パネルであるような、ジェスチャー操作の受け付けが不可なパネルである場合、画像形成装置１は、第２の操作画面である図４（Ｂ）のプレビュー画面を表示する。すなわち、操作パネル１７がジェスチャー操作の受け付けが不可なパネルである場合、画像形成装置１の操作パネル１７には、ジェスチャー操作に替わる操作によって指示を受け付けるための操作用画像（キー）である代替手段キーを表示するメニューエリアを含むプレビュー画面が表示される。
【００３８】
同様に、画像形成装置１の操作パネル１７がジェスチャー操作の受け付けが可能なパネルである場合、画像形成装置１は、第１の操作画面である図５（Ａ）のウィジット配置位置設定画面を表示する。すなわち、操作パネル１７がジェスチャー操作の受け付けが可能なパネルである場合、画像形成装置１の操作パネル１７には、ジェスチャー操作でウィジットを配置する位置の指示を受け付けることが可能なウィジット配置位置設定画面が表示される。第１の操作画面は、たとえばスライド操作などのジェスチャー操作によってウィジットを配置する位置の指示を受け付けることができる。第２の操作画面は、たとえば操作パネル１７に対してタッチ位置の移動を伴わない１点のタッチで選択可能な操作用画像（キー）を提示するメニューエリアを含む。操作用画像（キー）の選択は、操作パネル１７に対するタッチに替えて、図示しないハードキーやマウスなどで行なわれてもよい。
【００３９】
なお、上の例は、第２の操作画面自体がメニューエリアを指し、画像形成装置１は、表示装置の特性に応じて第１の操作画面に第２の操作画面であるメニューエリアを重ねて表示するか非表示とするか、を切り替えることと同じである。つまり、画像形成装置１は、第２の操作画面の画面情報として、第１の操作画面にメニューエリアを含んだ操作画面を第１の操作画面の画面情報とは別に保持して表示し分けてもよいし、第２の操作画面の画面情報としてメニューエリアの画面情報を保持して、該第２の操作画面を第１の操作画面に対して重ねて表示するか非表示とするかを切り替えてもよい。
【００４０】
画像形成装置１の操作パネル１７がジェスチャー操作の受け付けが不可なパネルである場合、画像形成装置１は、第２の操作画面である図５（Ｂ）のウィジット配置位置設定画面を表示する。すなわち、操作パネル１７がジェスチャー操作の受け付けが不可なパネルである場合、画像形成装置１の操作パネル１７には、ジェスチャー操作に替わる操作によって指示を受け付けるための操作用画像（キー）である代替手段キーを表示するメニューエリアを含むウィジット配置位置設定画面が表示される。
【００４１】
なお、操作画面が上記のプレビュー画面やウィジット配置位置設定画面のようなジェスチャー操作での操作指示を受け付け可能な操作画面である場合、画像形成装置１は、さらに、ジェスチャー操作が同時に２点以上のタッチを含むジェスチャー操作を認識するものと、１点のタッチのみのジェスチャー操作を認識するものとに分けて処理してもよい。たとえば、プレビュー画面の場合には、ピンチ操作やローテーション操作などの、同時に２点以上のタッチを含むジェスチャー操作が認識される。一方、ウィジット配置位置設定画面には、指示操作がスライド操作などの１点のタッチのみのジェスチャー操作であってよいため、２点以上のタッチを含むジェスチャー操作は認識されない。
【００４２】
そこで、好ましくは、画像形成装置１は、プレビュー画面のような同時に２点以上のタッチを含むジェスチャー操作を認識する操作画面の場合、操作パネル１７がジェスチャー操作の受け付けが可能なパネルであっても、さらに、同時に２点以上のタッチを含むジェスチャー操作の受け付けが可能なパネルであるか否かを判断して操作画面を表示し分ける。すなわち、画像形成装置１の操作パネル１７が同時に２点以上のタッチを含むジェスチャー操作の受け付けが可能なパネルである場合、画像形成装置１は、第１の操作画面である、同時に２点以上のタッチを含むジェスチャー操作の受け付けが可能な図４（Ａ）のプレビュー画面を表示する。一方、画像形成装置１の操作パネル１７がジェスチャー操作の受け付けが可能なパネルであっても、同時に２点以上のタッチを検出することができずに同時に２点以上のタッチを含むジェスチャー操作の受け付けが不可なパネルである場合、画像形成装置１は、第２の操作画面である、同時に２点以上のタッチを含むジェスチャー操作を受け付けない図４（Ｂ）のプレビュー画面を表示する。
【００４３】
なお、操作パネルの中には、さらに、１点のタッチのみ検出可能であって、タッチ位置を極めて短い間隔で連続して検出することができずにタッチ位置の移動を伴うジェスチャー操作の受け付けが不可なパネルもある。そこで、表示対象の操作画面がウィジット配置位置設定画面のような、スライド操作などのタッチ位置の移動を伴うジェスチャー操作を認識する画面であっても、伴うジェスチャー操作の受け付けが不可な好ましくは、画像形成装置１は、操作パネル１７がタッチ位置の移動を伴うジェスチャー操作を受け付け可能なパネルであるか否かを判断して操作画面を表示し分ける。すなわち、画像形成装置１の操作パネル１７がタッチ位置の移動を伴うジェスチャー操作を受け付け可能なパネルである場合、画像形成装置１は、第１の操作画面である、タッチ位置の移動を伴うジェスチャー操作を受け付けが可能な図５（Ａ）のウィジット配置位置設定画面を表示する。一方、画像形成装置１の操作パネル１７がジェスチャー操作の受け付けが可能なパネルであっても、タッチ位置の移動を伴うジェスチャー操作を受け付け不可なパネルである場合、画像形成装置１は、第２の操作画面である、タッチ位置の移動を伴うジェスチャー操作を受け付けない図５（Ｂ）のウィジット配置位置設定画面を表示する。
【００４４】
なお、図４および図５は、いずれも、画像形成装置１の操作パネル１７に表示される操作画面を例示したものである。しかしながら、操作画面は画像形成装置１の操作パネル１７に表示される他、端末装置７のタッチパネル７５に表示されてもよい。すなわち、画像形成装置１から操作画面の情報が端末装置７に転送されて端末装置７のタッチパネル７５に表示され、端末装置７から該操作画面に対するタッチ位置を表わす情報が画像形成装置１に転送されて当該操作に従って操作画面が更新される、いわゆるリモートパネルとも呼ばれる端末装置７を用いた画像形成装置１の遠隔操作方法がある。この場合、画像形成装置１は、端末装置７のタッチパネル７５の特性がジェスチャー操作を受け付け可能であるか否か、好ましくは、２点以上のタッチを含むジェスチャー操作を受け付け可能であるか否か、あるいは、タッチ位置の移動を伴うジェスチャー操作を受け付け可能であるか否かに応じて、上記のように操作画面を表示し分ける。
【００４５】
従って、以降の説明において画像形成装置１が操作画面を表示する対象とする表示装置には、自身に搭載される操作パネル１７に加えて、端末装置７に搭載されるタッチパネル７５も含まれる。
【００４６】
＜機能構成＞
図６は、上記の表示制御を行なうための画像形成装置１の機能構成の具体例を示すブロック図である。図６の各機能は、画像形成装置１のＣＰＵ１０ａがＲＯＭ１１に記憶されているプログラムをＳ−ＲＡＭ１２上に読み出して実行することで、主にＣＰＵ１０ａで実現される。しかしながら、少なくとも一部機能が、図２に示された他のハードウェア構成、または図示されていない電気回路などの他の構成によって、あるいは他の構成とＣＰＵ１０ａとの連携によって実現されてもよい。
【００４７】
図６を参照して、表示制御装置として機能するＣＰＵ１０ａは、表示装置である操作パネル１７または端末装置７に搭載されるタッチパネル７５の特性がジェスチャー操作を受け付け可能であるか否かを判断するための第１判断部１０２と、表示装置に操作画面を表示する処理を行なうための表示処理部１０３とを含む。表示処理部１０３は、表示装置の特性に応じて表示装置に表示する操作画面を切り替えるための切替部１０４を含む。
【００４８】
画像形成装置１のメモリー（たとえばＮＶ−ＲＡＭ１３）は、同一の操作画面の画面情報として、ジェスチャー操作による指示を受け付け可能な第１の操作画面の画面情報と、ジェスチャー操作に替わる操作による指示を受け付け可能な第２の操作画面の画面情報とを記憶するための記憶領域である画面記憶部１３２を含む。
【００４９】
好ましくは、第２の操作画面は、第１の操作画面に重ねて表示する、ジェスチャー操作に替わる操作による指示を受け付けるための操作用画像を含む画面である。切替部１０４は、表示装置の特性に応じて、表示装置がジェスチャー操作を受け付け可能である場合には第２の操作画面を非表示とし、表示装置がジェスチャー操作を受け付け不可である場合には第１の操作画面に第２の操作画面を重ねて表示することによって操作画面を切り替える。
【００５０】
一例として、画像形成装置１のメモリーの一例としてのＮＶ−ＲＡＭ１３に表示装置ごとの特性が登録されている。そして、第１判断部１０２は、メモリーの登録を参照することで表示対象の表示装置の特性を判断してもよい。そのため、たとえばＮＶ−ＲＡＭ１３などのメモリーは、表示装置の特定を記憶するための記憶領域である特性記憶部１３１を含む。また、ＣＰＵ１０ａは、特性記憶部１３１から表示対象の表示装置の特性を読み出すための特性読出部１０１をさらに含む。表示装置の特性は、ユーザーは、管理者等の特定のユーザーによって登録、または変更されてもよい。たとえば、特定のユーザーとしての操作パネル１７を交換するサービスマンが、図示しない設定画面において、当該操作パネル１７がジェスチャー操作を受け付け可能であるか否かを設定し、メモリーに登録するようにしてもよい。
【００５１】
他の例として、画像形成装置１の特性記憶部１３１には、表示装置のシリアルナンバーや機種などの特定情報ごとに表示装置の特性が登録されており、第１判断部１０２は、表示対象の表示装置の特定情報を取得して当該登録と比較することで表示対象の表示装置の特性を判断してもよい。第１判断部１０２での表示装置の特定情報の取得は、たとえば、画像形成装置１に搭載されているＯＳ（オペレーティングシステム）からであってもよい。
【００５２】
切替部１０４は、表示装置がジェスチャー操作を受け付け可能である場合には画面記憶部１３２から第１の操作画面の画面情報を読み出して表示装置に対して出力する。切替部１０４は、表示装置がジェスチャー操作を受け付け不可である場合には画面記憶部１３２から第２の操作画面の画面情報を読み出して表示装置に対して出力する。これにより、切替部１０４は表示装置に表示する操作画面を切り替える。
【００５３】
好ましくは、第１判断部１０２は、さらに、表示装置の特性が同時に２点以上のタッチを含むジェスチャー操作を受け付け可能であるか否かを判断する。この場合、切替部１０４は、第１の操作画面が２点以上のタッチを含むジェスチャー操作を受け付け可能な操作画面の場合には、表示装置が２点以上のタッチを含むジェスチャー操作を受け付け可能である場合には第１の操作画面の画面情報を読み出して表示装置に表示する。表示装置が２点以上のタッチを含むジェスチャー操作を受け付け不可である場合には、切替部１０４は、第２の操作画面の画面情報を読み出して表示装置に表示する。第１の操作画面が２点以上のタッチを含むジェスチャー操作を受け付け不可であって１点のタッチによるジェスチャー操作を受け付け可能な操作画面の場合には、切替部１０４は、表示装置が２点以上のタッチを含むジェスチャー操作を受け付け不可であって１点のタッチによるジェスチャー操作を受け付け可能である場合には、第１の操作画面の画面情報を読み出して表示装置に表示する。表示装置がジェスチャー操作を受け付け不可である場合には、切替部１０４は、第２の操作画面の画面情報を読み出して表示装置に表示する。
【００５４】
＜動作フロー＞
図７は、画像形成装置１での操作画面の表示制御の流れの具体例を表わしたフローチャートである。図７のフローチャートに表わされた動作は、画像形成装置１のＣＰＵ１０ａがＲＯＭ１１に記憶されているプログラムをＳ−ＲＡＭ１２上に読み出して実行し、図６の各機能を発揮することによって実現される。図７の動作は、表示中の操作画面に対する操作指示を受け付けるなどして、画像形成装置１のＣＰＵ１０ａが次に表示する操作画面を特定すると開始される。
【００５５】
図７を参照して、ＣＰＵ１０ａは、表示対象の操作画面が、たとえばプレビュー画面やウィジット配置位置設定画面のような、ジェスチャー操作を認識可能な操作画面であるか否かを確認する（ステップＳ１０１）。表示対象の操作画面がジェスチャー操作を認識可能な操作画面である場合（ステップＳ１０１でＹＥＳ）、ＣＰＵ１０ａは、表示装置がジェスチャー操作を受け付け可能であるか否かを判断する（ステップＳ１０３）。一例として、ＣＰＵ１０ａは、メモリーに登録されている表示装置の特性の情報を読み出して、表示対象の表示装置の特性がジェスチャー操作を受け付け可能であると登録されているか否かを確認する。
【００５６】
表示装置の特性がジェスチャー操作を受け付け可能である場合（ステップＳ１０３でＹＥＳ）、ＣＰＵ１０ａは、表示対象の操作画面についての第１の操作画面を表示する。すなわち、ＣＰＵ１０ａは、図４（Ａ）や図５（Ａ）に表わされたような、第２の操作画面であるメニューエリアを非表示とした操作画面を表示するものと決定し（ステップＳ１０５）、当該操作画面を表示装置である操作パネル１７、あるいは端末装置７のタッチパネル７５に表示するための処理を行なう（ステップＳ１０９）。
【００５７】
一方、表示装置の特性がジェスチャー操作を受け付け不可である場合（ステップＳ１０３でＮＯ）、ＣＰＵ１０ａは、表示対象の操作画面についての第２の操作画面を表示する。すなわち、ＣＰＵ１０ａは、図４（Ｂ）や図５（Ｂ）に表わされたような、第２の操作画面であるメニューエリアを第１の操作画面に重ねて表示した操作画面を表示するものと決定し（ステップＳ１０７）、当該操作画面を表示装置である操作パネル１７、あるいは端末装置７のタッチパネル７５に表示するための処理を行なう（ステップＳ１０９）。
【００５８】
好ましくは、画像形成装置１は、上記したように、ジェスチャー操作が同時に２点以上のタッチを含むジェスチャー操作を認識するものと、１点のタッチのみのジェスチャー操作を認識するものとに分けて処理する。図８は、画像形成装置１での操作画面の表示制御の流れの他の具体例を表わしたフローチャートである。
【００５９】
図８を参照して、ＣＰＵ１０ａは、表示対象の操作画面がジェスチャー操作を認識可能な操作画面である場合（ステップＳ１０１でＹＥＳ）、さらに、当該操作画面が２点以上のジェスチャー操作を認識可能な操作画面であるか否かを確認する（ステップＳ１０２）。
【００６０】
表示対象の操作画面が２点以上のジェスチャー操作を認識可能な操作画面であって（ステップＳ１０２でＹＥＳ）、表示装置の特性が２点以上のジェスチャー操作を受け付け可能である場合には（ステップＳ１０３−１でＹＥＳ）、ＣＰＵ１０ａは、第２の操作画面であるメニューエリアを非表示とした操作画面である第１の操作画面を表示するものと決定し（ステップＳ１０５−１）、表示処理を実行する（ステップＳ１０９）。
【００６１】
表示対象の操作画面が２点以上のジェスチャー操作を認識可能な操作画面であって（ステップＳ１０２でＹＥＳ）、表示装置の特性が２点以上のジェスチャー操作を受け付け可能ではない場合には（ステップＳ１０３−１でＮＯ）、ＣＰＵ１０ａは、第２の操作画面であるメニューエリアを第１の操作画面に重ねて表示した操作画面を表示するものと決定し（ステップＳ１０７−１）、表示処理を実行する（ステップＳ１０９）。
【００６２】
表示対象の操作画面が１点のみのジェスチャー操作を認識可能な操作画面であって（ステップＳ１０２でＮＯ）、表示装置の特性が１点のジェスチャー操作を受け付け可能である場合には（ステップＳ１０３−２でＹＥＳ）、ＣＰＵ１０ａは、第２の操作画面であるメニューエリアを非表示とした操作画面である第１の操作画面を表示するものと決定し（ステップＳ１０５−２）、表示処理を実行する（ステップＳ１０９）。
【００６３】
表示対象の操作画面が１点のみのジェスチャー操作を認識可能な操作画面であって（ステップＳ１０２でＮＯ）、表示装置の特性が１点のジェスチャー操作も受け付け可能ではない場合、つまり、ジェスチャー操作を受け付け不可な場合には（ステップＳ１０３−２でＮＯ）、ＣＰＵ１０ａは、第２の操作画面であるメニューエリアを第１の操作画面に重ねて表示した操作画面を表示するものと決定し（ステップＳ１０７−２）、表示処理を実行する（ステップＳ１０９）。
【００６４】
＜実施の形態の効果＞
画像形成装置１において以上の表示制御が行なわれることで、たとえば静電パネルから抵抗膜パネルへ、またはその逆へ、操作パネル１７が交換された場合であっても、操作画面表示用のソフトウェアを切り替えることなく自動的に操作画面を切り替え、適した操作画面を表示することができる。すなわち、画像形成装置１では、特別にソフトウェアを用意することなく、また、ユーザーの特別な操作を必要とすることなく、操作パネル１７の特性に応じて自動的に適した操作画面を表示することができる。
【００６５】
さらに、上記したいわゆるリモートパネルと呼ばれる端末装置７を用いた遠隔操作が行なわれている場合であっても、画像形成装置１は端末装置７のタッチパネル７５の特性に応じて適した操作画面を表示することができる。
【００６６】
これにより、画像形成装置１のプログラム量を抑え、構成を容易にすることができる。また、ユーザーの利便性を向上させることができる。
【００６７】
＜他の例１＞
なお、好ましくは、図４（Ａ）にも示されているように、第１の操作画面として第２の操作画面であるメニュー画面が非表示となっている操作画面が表示されている場合でも、画像形成装置１は、特定の操作を受け付けることで第２の操作画面であるメニュー画面を表示状態としてもよい。これにより、ジェスチャー操作とは異なる操作の方が操作性が高いユーザーのニーズに応じることが可能となる。
【００６８】
好ましくは、画像形成装置１は、ジェスチャー操作の受け付けが可能な表示装置において上記のような操作がなされることで第２の操作画面を表示している際に、当該第２の操作画面に対してジェスチャー操作を受け付けることで第１の操作画面に切り替える。
【００６９】
この場合、画像形成装置１のＣＰＵ１０ａは、図６に表わされた、表示装置に対する操作の特性を判断するための第２判断部１０５をさらに含む。切替部１０４は、第２の操作画面が表示装置に表示されているときに第２の操作画面に対してジェスチャー操作が行なわれると、第２の操作画面を第１の操作画面に切り替える。
【００７０】
画像形成装置１において以上の表示制御が行なわれることで、操作画面がユーザーの操作に応じて適切な操作画面に切り替えられることになり、ユーザーの利便性をより向上させることができる。
【００７１】
＜他の例２＞
なお、以上の例では、画像形成装置１は表示装置の特性に基づいて操作画面を切り替える、つまり、第２の操作画面である上記メニュー画面を第１の操作画面に重ねて表示するか非表示とするかを切り替えるものとしている。
【００７２】
しかしながら、たとえ表示装置の特性がジェスチャー操作を受け付け可能なものであった場合でも、ユーザーによってはジェスチャー操作とは異なる操作の方が操作性が高い場合もある。上記のように、ユーザーは特定の操作によって第２の操作画面であるメニュー画面を表示させることも可能であるが、常にジェスチャー操作とは異なる操作を行ないたい場合には、操作画面ごとに画面を切り替える操作を行なうことは煩雑な場合もある。そこで、他の例として、ユーザー設定として、第１の操作画面を表示するか第２の操作画面を表示するかが設定可能であってもよい。
【００７３】
この場合、特性読出部１０１は、特性記憶部１３１から表示装置の特性を読み出すと共に、ログインユーザーのユーザー情報に含まれる上記の設定をメモリーから読み出す。そして、第１判断部１０２は、表示装置の特性と、ユーザー設定とを判断する。切替部１０４は、表示装置の特性がジェスチャー操作を受け付け可能なものであっても、ユーザー設定がジェスチャー操作を行なわないものとなっている場合には、第２の操作画面、つまりメニュー画面を表示状態として操作画面を表示する。逆に、ユーザー設定がジェスチャー操作を行なうものとなっている場合であっても、表示装置の特性がジェスチャー操作を受け付け不可である場合には、第１の操作画面、つまりメニュー画面を非表示として操作画面を表示する。
【００７４】
画像形成装置１において以上の表示制御が行なわれることで、操作画面がユーザーの設定に応じて適切な操作画面に切り替えられることになり、ユーザーの利便性をより向上させることができる。
【００７５】
＜他の例３＞
さらに、上述の表示制御を画像形成装置のＣＰＵに実行させるためのプログラムを提供することもできる。このようなプログラムは、コンピューターに付属するフレキシブルディスク、ＣＤ−ＲＯＭ（Compact  Disk-Read  Only  Memory）、ＲＯＭ、ＲＡＭおよびメモリカードなどのコンピューター読取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【００７６】
当該プログラムを提供することによって、既存の画像形成装置に上記の表示制御を行なわせることが可能となる。
【００７７】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００７８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００７９】
提供されるプログラム製品は、ハードディスクなどのプログラム格納部にインストールされて実行される。なお、プログラム製品は、プログラム自体と、プログラムが記録された記録媒体とを含む。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１  画像形成装置、３  情報処理装置、４  ネットワーク、５  外部ネットワーク、７  端末装置、１０，７０  制御部、１０ａ，７０ａ  ＣＰＵ、１１，７１  ＲＯＭ、１２  Ｓ−ＲＡＭ、１３  ＮＶ−ＲＡＭ、１５，７４  固定記憶装置、１６  画像読取装置、１７  操作パネル、１８  画像出力装置、１９  プリンターコントローラー、２０  ネットワークＩ／Ｆ、２１，７６  ワイヤレスＩ／Ｆ、２２，７７  短距離無線Ｉ／Ｆ、７２  ＲＡＭ、７５  タッチパネル、１０１  特性読出部、１０２  第１判断部、１０３  表示処理部、１０４  切替部、１０５  第２判断部、１３１  特性記憶部、１３２  画面記憶部。
【図１】
2015159465.tif 000003
【図２】
2015159465.tif 000004
【図３】
2015159465.tif 000005
【図４】
2015159465.tif 000006
【図５】
2015159465.tif 000007
【図６】
2015159465.tif 000008
【図７】
2015159465.tif 000009
【図８】
2015159465.tif 000010